(57)【特許請求の範囲】
【請求項１】
直管形照明灯の全長を覆う長さを有した一枚の長方形状の包装部材が、２本の直管形照明灯が並列配置された状態で前記直管形照明灯の管体部分を覆う本体保護部と、前記管体部分の両端部に取り付けた端部キャップから突出した端子部を保護する端子保護部を備え、
前記本体保護部は、直管形照明灯の管軸が並行状態となるように２本の直管形照明灯が並列配置される幅でもって管軸方向に長い形状の基部と、この基部の一方の長辺に連続して一方の前記直管形照明灯を包むように屈曲形成された第１管体包囲部と、前記基部の他方の長辺に連続して他方の前記直管形照明灯を包むように屈曲形成された第２管体包囲部とが一体形成され、
前記端子保護部は、前記基部の管軸方向の両端部に前記端子部を保護するように切り起こしにて形成した略直角の立ち上がり辺を備え、
先端フラップ部を形成するようにそれぞれ前記第１管体包囲部及び前記第２管体包囲部に形成される管軸方向の折れ線部分に、それぞれ間隔を存して切り欠きと切り起しが形成され、
前記第１管体包囲部の切り欠き及び切り起しは、前記折れ線上に間隔を保って交互に形成され、
前記第２管体包囲部の切り欠き及び切り起しは、前記折れ線上に間隔を保って交互に形成され、
前記第１管体包囲部及び前記第２管体包囲部にそれぞれ形成された先端フラップ部が重ね合わせ状態にて組み合わされた状態で、前記第１管体包囲部の切り欠きに前記第２管体包囲部の切り起しが嵌り合い、前記第２体包囲部の切り欠きに前記第１管体包囲部の切り起しが嵌り合う関係に構成された
ことを特徴とする直管形照明灯の梱包装置。
【請求項２】
前記第１管体包囲部の切り欠きは前記第１管体包囲部に形成した前記管軸方向の折れ線にて二分される位置に形成され、前記第２管体包囲部の切り欠きは前記第２管体包囲部に形成した前記管軸方向の折れ線にて二分される位置に形成され、
前記折れ線に沿った屈曲によって前記第２管体包囲部の切り欠きに臨む前記第２管体包囲部の先端フラップ部に載る状態で、前記第１管体包囲部の切り起しが嵌り合い、
前記折れ線に沿った屈曲によって前記第１管体包囲部の切り欠きに臨む前記第１管体包囲部の先端フラップ部に載る状態で、前記第２管体包囲部の切り起しが嵌り合う
ことを特徴とする請求項１に記載の直管形照明灯の梱包装置。
【請求項３】
前記第１管体包囲部は、前記基部の一方の長辺に連続して一方の前記直管形照明灯を包むように３本の折り線に沿って略直角に屈曲形成された正方形状筒に形成され、
前記第２管体包囲部は、前記基部の他方の長辺に連続して他方の前記直管形照明灯を包むように３本の折れ線に沿って略直角に屈曲形成された正方形状筒に形成され、
前記第１管体包囲部及び前記第２管体包囲部のそれぞれの先端フラップ部を形成するためのそれぞれの折れ線の内側に位置するそれぞれ２本の折れ線上に、間隔を保って前記包装部材を構成する段ボールの表層を残して裏層及び中間層に至る切り込みを形成した
ことを特徴とする請求項１または請求項２に記載の直管形照明灯の梱包装置。
【発明の詳細な説明】
【技術分野】
【０００１】
本発明は、段ボール等の包装部材による梱包装置に関し、その中で、それぞれ物品を並行状態に包む第１物品包囲部と第２物品包囲部とを一体形成する構成の一つとして、直管形蛍光灯や、多数のＬＥＤ（発光ダイオード）を配置した長尺基板が長尺管体内に収納された直管形ＬＥＤ灯のような直管形照明灯の梱包装置に適する技術に関する。
【背景技術】
【０００２】
従来一般的に使用されている直管形蛍光灯は、本体部の両端部に外部電極が突出した形態であり、これを複数本並列して包装するために、直管形蛍光灯１０の本体部１３を波板２２の中間保持体２０で支え、両端部の外部電極１２を端部保護体３０で覆う包装体がある（特許文献１参照）。
【０００３】
また、上記のような直管形蛍光灯に替わるものとして、多数のＬＥＤ（発光ダイオード）を配置した長尺基板が長尺管体内に収納された直管形ＬＥＤ灯があり、その一つとして、透明プラスチックの円筒パイプ２内に、多数のＬＥＤ９を配置した長尺の支持板３（ＬＥＤ基板）が水平に取り付けられ、この支持板３の両端にそれぞれ２本の端子４、４が接続され、円筒パイプ２の両端を塞ぐベースキャップ５、５から端子４、４が突設されたものがある（特許文献２参照）。
【先行技術文献】
【特許文献】
【０００４】
【特許文献１】特開２００８−２１３９１５号公報
【特許文献２】特開２００１−３５１４０２号公報
【発明の概要】
【発明が解決しようとする課題】
【０００５】
特許文献１のものは、両端部の外部電極１２を保護した梱包とするものであり、直管形蛍光灯１０を同一平面状において複数本並列して包装するために、本体部１３を支えるための波板２２の中間保持体２０を設け、端部保護体３０には、中間保持体２０の波板２２の各谷部２３と同じピッチの波板３３と、外部電極１２を覆うカバー３１を備え、この中間保持体２０の波板２２に対して、端部保護体３０の波板３３を嵌め合わせた状態で、カートン内に箱詰めする構成である。
【０００６】
このため、中間保持体２０の両端部側に端部保護体３０が、中間保持体２０の波板２２に端部保護体３０の波板３３を嵌め合わせる組み立てが必要であり、このように組み立てた包装体をカートン内に箱詰めするため、部品点数が複数となり、更に、それらを組み合わせつつ直管形蛍光灯１０を包装するため、図示のように５本の直管形蛍光灯１０を一体に包装できるメリットはあるが、作業が複雑である。
【０００７】
また、特許文献１の包装体でもって、特許文献２に開示されたような直管形ＬＥＤ灯を包装する場合も、同様の課題が生じる。
【０００８】
このような点に鑑み、本発明は、特許文献１のように多数の直管形照明灯を一つの包装体によって包装するのではなく、直管形照明灯の２本を１ユニット（一つの単位）として、２本の直管形照明灯が並列配置された状態で、それぞれの直管形照明灯の全長を左右から包み込むように、端子部を含む直管形照明灯の全長を覆う長さを有する長方形状の段ボールで形成された一枚の包装部材を備え、この一枚の包装部材の屈曲によって、一方の直管形照明灯を包む第１管体包囲部と、他方の直管形照明灯を包む第２管体包囲部を形成するものである。
【０００９】
そして、本発明は、２本の直管形照明灯のそれぞれの管体部分を覆う本体保護部と、この管体部分の両端部に突出したそれぞれの端子部を保護する端子保護部を一枚の包装部材によって形成することにより、部品点数を少なくし、包装作業の簡素化を図り、直管形照明灯の管体部分と端子部の保護に適した包装装置を提供するものである。
【００１０】
また、本発明は、端子部を含む直管形照明灯の全長を覆う長さを有する長方形状の段ボールで形成された一枚の包装部材を備え、直管形照明灯の２本を１ユニット（一つの単位）として、２本の直管形照明灯が並列配置された状態で、それぞれの直管形照明灯の全長を左右から包み込むように、この一枚の包装部材によって、一方の直管形照明灯を包むように屈曲によって第１管体包囲部を形成し、他方の直管形照明灯を包むように屈曲によって第２管体包囲部を形成し、この第１管体包囲部の先端フラップ部と第２管体包囲部の先端フラップ部とが重ね合わせ状態にて、第１管体包囲部と第２管体包囲部が保持される構成とする。
【００１１】
この場合、段ボールに厚みがあるため、両方の先端フラップ部を屈曲させる際に、その屈曲部分で衝突し合い、直角に折り曲げし難く、屈曲の妨げとなる。また、両方の先端フラップ部を重ね合わせ状態にした場合、その重ね合わせ部の隙間が大きくなり、見栄えも悪い状態となる。このため、本発明は、これを改良するために、両方の先端フラップ部の屈曲がし易く、且つ強度維持が達成できる新規な技術構成を提供し、それに伴って、両方の先端フラップ部の重ね合わせ部分の隙間が小さく見栄えのよい梱包となる技術を提供するものである。
【００１２】
更に、本発明は、特許文献１のように多数の直管形照明灯を一つの包装体によって包装するのではなく、直管形照明灯の２本を１ユニット（一つの単位）として一枚の包装部材によって包装する構成とし、この１ユニットの多数が一つの外装箱内に安定して箱詰め及び取り出しし易い構成とし、運搬等の際にも内部の直管形照明灯が破損し難い状態を保つことができる包装装置を提供するものである。
【００１３】
また、本発明は、上記のように、一方の直管形照明灯を包むように屈曲によって第１管体包囲部を形成し、他方の直管形照明灯を包むように屈曲によって第２管体包囲部を形成し、この第１管体包囲部の先端フラップ部と第２管体包囲部の先端フラップ部とが重ね合わせ状態にて、第１管体包囲部と第２管体包囲部が保持される技術を更に発展させて、直管形照明灯のみならず他の物品を梱包する梱包装置を提供する。この場合、第１管体包囲部に相当する第１物品包囲部と、第２管体包囲部に相当する第２物品包囲部を形成し、第１物品包囲部側のフラップと第２物品包囲部側のフラップが左右から合わさるフラップ部分のコーナ部に、一方の物品包囲部の切り欠きに他方の物品包囲部の切り起しが嵌り合う関係にすることによって、両方のフラップ部の屈曲がし易く、且つ強度維持が達成できる新規な技術構成を提供し、それに伴って、両方のフラップ部の重ね合わせ部分の隙間が小さく見栄えのよい梱包となる技術を提供する。
【００１４】
以下に記載する本発明の実施例において、直管形照明灯は、直管形蛍光灯及び直管形ＬＥＤ灯のいずれをも含むものである。
【課題を解決するための手段】
【００１７】
本発明は、直管形照明灯の全長を覆う長さを有した一枚の長方形状の包装部材が、２本の直管形照明灯が並列配置された状態で前記直管形照明灯の管体部分を覆う本体保護部と、前記管体部分の両端部に取り付けた端部キャップから突出した端子部を保護する端子保護部を備え、
前記本体保護部は、直管形照明灯の管軸が並行状態となるように２本の直管形照明灯が並列配置される幅でもって管軸方向に長い形状の基部と、この基部の一方の長辺に連続して一方の前記直管形照明灯を包むように屈曲形成された第１管体包囲部と、前記基部の他方の長辺に連続して他方の前記直管形照明灯を包むように屈曲形成された第２管体包囲部とが一体形成され、
前記端子保護部は、前記基部の管軸方向の両端部に前記端子部を保護するように切り起こしにて形成した略直角の立ち上がり辺を備え、
先端フラップ部を形成するようにそれぞれ前記第１管体包囲部及び前記第２管体包囲部に形成される管軸方向の折れ線部分に、それぞれ間隔を存して切り欠きと切り起しが形成され、
前記第１管体包囲部の切り欠き及び切り起しは、前記折れ線上に間隔を保って交互に形成され、
前記第２管体包囲部の切り欠き及び切り起しは、前記折れ線上に間隔を保って交互に形成され、
前記第１管体包囲部及び前記第２管体包囲部にそれぞれ形成された先端フラップ部が重ね合わせ状態にて組み合わされた状態で、前記第１管体包囲部の切り欠きに前記第２管体包囲部の切り起しが嵌り合い、前記第２体包囲部の切り欠きに前記第１管体包囲部の切り起しが嵌り合う関係に構成された
ことを特徴とする直管形照明灯の梱包装置である。
【００１８】
本発明は、前記第１管体包囲部の切り欠きは前記第１管体包囲部に形成した前記管軸方向の折れ線にて二分される位置に形成され、前記第２管体包囲部の切り欠きは前記第２管体包囲部に形成した前記管軸方向の折れ線にて二分される位置に形成され、
前記折れ線に沿った屈曲によって前記第２管体包囲部の切り欠きに臨む前記第２管体包囲部の先端フラップ部に載る状態で、前記第１管体包囲部の切り起しが嵌り合い、
前記折れ線に沿った屈曲によって前記第１管体包囲部の切り欠きに臨む前記第１管体包囲部の先端フラップ部に載る状態で、前記第２管体包囲部の切り起しが嵌り合う
ことを特徴とする直管形照明灯の梱包装置である。
【００２０】
本発明は、前記第１管体包囲部は、前記基部の一方の長辺に連続して一方の前記直管形照明灯を包むように３本の折り線に沿って略直角に屈曲形成された正方形状筒に形成され、
前記第２管体包囲部は、前記基部の他方の長辺に連続して他方の前記直管形照明灯を包むように３本の折れ線に沿って略直角に屈曲形成された正方形状筒に形成され、
前記第１管体包囲部及び前記第２管体包囲部のそれぞれの先端フラップ部を形成するためのそれぞれの折れ線の内側に位置するそれぞれ２本の折れ線上に、間隔を保って前記包装部材を構成する段ボールの表層を残して裏層及び中間層に至る切り込みを形成した
ことを特徴とする直管形照明灯の梱包装置である。
【発明の効果】
【００２３】
本発明によって、直管形照明灯の管体部分を覆う本体保護部と、管体部分の両端部に突出した端子部を保護する端子保護部を、一枚の包装部材の折り曲げと切り起こしによって形成することにより、直管形照明灯の２本を１ユニット（一つの単位）として包装する構成として、部品点数が少なく、包装作業の簡素化が図られ、直管形照明灯の管体部分と端子部の保護に適した包装装置を提供することができる。また、第１管体包囲部及び第２管体包囲部の先端フラップ部が重ね合わせ状態で、立ち上がり辺と相互に係止し合う関係によって、第１管体包囲部と第２管体包囲部とが開かないように保持されると共に、端子保護部が補強され、直管形照明灯の両端部に加わる衝撃から端子部を保護することができるようになる。更に、第１管体包囲部及び第２管体包囲部のそれぞれの先端フラップ部を形成する折り線部分に、相互に嵌り合う切り欠きと切り起しを形成したことにより、両方の先端フラップ部の屈曲がし易く、両方の先端フラップ部の重ね合わせ部分の隙間が小さく、見栄えのよい梱包となる。また、本発明は、第１管体包囲部及び第２管体包囲部のそれぞれの切り欠き及び切り起しは、各折れ線上に間隔を保って交互に形成されるため、第１管体包囲部側の切り欠きと切り起し、及び第２管体包囲部側の切り欠きと切り起しの相互の嵌り合う箇所も交互配置となるため、それぞれの折れ線の部分の強度維持が達成でき、且つ両方の先端フラップ部の重ね合わせ部分の隙間が小さく、見栄えのよい梱包となる。
【００２４】
本発明は、折れ線に沿った屈曲によって第２管体包囲部の切り欠きに臨む第２管体包囲部の先端フラップ部に第１管体包囲部の切り起しが載る状態に嵌り合い、同様に、折れ線に沿った屈曲によって第１管体包囲部の切り欠きに臨む第１管体包囲部の先端フラップ部に第２管体包囲部の切り起しが載る状態に嵌り合うため、第１発明の効果に加えて、それぞれの折れ線の部分の強度維持が達成でき、第１管体包囲部及び第２管体包囲部の形状維持に適する構成となる。
【００２６】
本発明は、正方形状筒の第１管体包囲部と正方形状筒の第２管体包囲部とによって、全体が管軸方向に長い長方形状筒となるため、直管形照明灯の２本を１ユニット（一つの単位）として取り扱う場合の取り扱いがし易く、床などに置いたときの安定化が得られる。また、このような梱包体の二つを重ね合わせれば、側面形状が正方形状の直方形となるため、外装箱の左右側面形状が正方形状の直方体状の外装箱、または外装箱の左右側面形状が長方形状の直方体状の外装箱に充填された収納状態が得られ、外装箱内での安定した収納状態が得られるものとなり、運搬等の際にも内部の直管形照明灯が破損し難い状態を保つことができるものである。また、第１管体包囲部及び第２管体包囲部のそれぞれの先端フラップ部を形成するためのそれぞれの折れ線の内側に位置するそれぞれ２本の折れ線上に形成する切り込みは、包装部材を構成する段ボールの表層を残して裏層及び中間層に至る切り込み形成であるため、折り線に沿って段ボールを屈曲させる作業者がコーナ部分で手に切り傷を負う等の障害も無く、包装作業の簡素化を図ることができる。
【図面の簡単な説明】
【００２７】
【図１】本発明に係る梱包装置の組み立て順序を示す説明図である。
【図２】本発明に係る梱包装置に係る一枚の包装部材の平面図である。
【図３】本発明に係る梱包装置の本体保護部及び端子保護部と直管形照明灯との関係を示す分解斜視図である。
【図４】本発明に係る梱包装置の本体保護部及び端子保護部に対して直管形照明灯を組み込んだ状態を示す上面斜視図である。
【図５】本発明に係る梱包装置の端子保護部へ直管形照明灯の端子部を組み込んだ状態を外側から見た斜視図である。
【図６】本発明に係る梱包装置の端子保護部へ直管形照明灯の端子部を組み込んだ状態を内側から見た斜視図である。
【図７】本発明に係る梱包装置の完成状態での端子保護部を外側から見た側面図である。
【図８】図１（ホ）における本発明に係る梱包装置の端部拡大図である。
【図９】２本の直管形照明灯を１ユニット（一つの単位）として包装した本発明に係る梱包装置の１０個を左右側面形状が長方形状の直方体状の外装箱に収納される状態の分解斜視図である。
【図１０】２本の直管形照明灯を１ユニット（一つの単位）として包装した本発明に係る梱包装置の２０個を左右側面形状が長方形状の直方体状の外装箱に収納される状態の分解斜視図である。
【図１１】本発明に係る直管形ＬＥＤ灯の管体内に収納した基板の状態説明図である。
【図１２】図１のＹ方向から見た管体内に収納したＬＥＤ基板の状態説明図である。
【図１３】本発明に係るＬＥＤ照明装置の端部キャップと管体との関係を示す断面図である。
【図１４】図１３のＡ−Ａ断面図である。
【図１５】本発明に係るＬＥＤ照明装置の端部キャップ、ＬＥＤ基板及び管体の関係を示す分解斜視図である。
【図１６】本発明に係る包装部材に形成する切り起しと切り欠き、及び切り込みの形態を示す説明図である。
【図１７】（イ）（ロ）は本発明に係る包装部材に形成する切り起しと切り欠きの関係を示す斜視図である。
【図１８】本発明に係る梱包装置の完成状態での切り起しと切り欠きの関係を一部断面で示す図である。
【図１９】本発明に係る梱包装置の完成状態での切り起しと切り欠きの関係を示す斜視図である。
【図２０】本発明に係る梱包装置に係る一枚の包装部材の他の実施形態に係る平面図である。
【発明を実施するための形態】
【００２８】
本発明は、直管形照明灯の全長を覆う長さを有した一枚の長方形状の包装部材が、２本の直管形照明灯が並列配置された状態で前記直管形照明灯の管体部分を覆う本体保護部と、前記管体部分の両端部に取り付けた端部キャップから突出した端子部を保護する端子保護部を備え、
前記本体保護部は、直管形照明灯の管軸が並行状態となるように２本の直管形照明灯が並列配置される幅でもって管軸方向に長い形状の基部と、この基部の一方の長辺に連続して一方の前記直管形照明灯を包むように屈曲形成された第１管体包囲部と、前記基部の他方の長辺に連続して他方の前記直管形照明灯を包むように屈曲形成された第２管体包囲部とが一体形成され、
前記端子保護部は、前記基部の管軸方向の両端部に前記端子部を保護するように切り起こしにて形成した略直角の立ち上がり辺を備え、
先端フラップ部を形成するようにそれぞれ前記第１管体包囲部及び前記第２管体包囲部に形成される管軸方向の折れ線部分に、それぞれ間隔を存して切り欠きと切り起しが形成され、
前記第１管体包囲部及び前記第２管体包囲部のそれぞれの先端フラップ部が重ね合わせ状態にて、前記第１管体包囲部の切り欠きに前記第２管体包囲部の切り起しが嵌り合い、前記第２体包囲部の切り欠きに前記第１管体包囲部の切り起しが嵌り合う関係に構成された直管形照明灯の梱包装置であり、以下に本発明の実施例を記載する。
【実施例１】
【００２９】
本発明は、段ボール等の包装部材による梱包装置に関し、その中で、それぞれ物品を並行状態に包む第１物品包囲部と第２物品包囲部とを一体形成する構成の一つとして、直管形蛍光灯や、多数のＬＥＤ（発光ダイオード）を配置した長尺基板が長尺管体内に収納された直管形ＬＥＤ灯のような直管形照明灯の梱包装置に適する技術を以下に記載する。
【００３０】
本発明の梱包装置の好ましい一つの実施例として、直管形照明灯２０の２本を一組とした梱包装置１について以下に記載する。直管形照明灯２０は、従来使用されている直管形蛍光灯、及び最近出現した直管形ＬＥＤ灯のいずれであってもよい。このため、従来使用されている直管形蛍光灯の構成は周知であるため、以下に直管形ＬＥＤ灯２０について説明し、それに係る梱包装置１について記載することとする。
【００３１】
直管形ＬＥＤ灯２０は、多数の白色ＬＥＤ（発光ダイオード）２を配置した長尺のＬＥＤ基板３が少なくとも一部が透光性である直管形管体４内の長手方向（管体４の長軸方向）に延在するよう収納され、端子部５を備えた端部キャップ６が管体４の左右両端に取り付けられ、端子部５に半田付けされたリード線７を介してＬＥＤ２へ所定の電力が供給される回路構成である。このため、従来使用されている直管形蛍光灯の照明器具のソケット部（図示せず）に端子部５を嵌合装着した状態で、端子部５からリード線７を介してＬＥＤ２へ所定の電力が供給され、ＬＥＤ２が発光するものである。
【００３２】
直管形ＬＥＤ灯２０は、例えば、部屋の天井等に配置された直管形蛍光灯の照明器具のソケット部（図示せず）に装着して、管体４が略水平状態に支持されるものであり、この状態で、照明側面３Ｐが下側に向き、下方を照明するものである。
【００３３】
管体４内には、ＬＥＤ基板３の他にＬＥＤ駆動用回路基板８が収納されている。ＬＥＤ基板３は平板状の合成樹脂製であり、その片側面（図２では下側面）が照明側面３Ｐとなるように多数のＬＥＤ２が配置されており、照明側面３Ｐの反対側となる他方側面（裏面）には、ＬＥＤ２へ電力供給する電気回路素子を取り付けた平板状のＬＥＤ駆動用回路基板８が、ＬＥＤ基板３と並行状態にＬＥＤ基板３の裏側（図２では上側）に取り付けられている。実施例では図１１に示すように、直管形ＬＥＤ灯２０は、部屋の天井部分等に取り付けられて下方を照明するものであり、ＬＥＤ基板３の下側面が照明側面３Ｐとなるように配置された構成である。
【００３４】
ＬＥＤ基板３の照明側面３Ｐには、一列に電気的に直列接続された多数のＬＥＤ２が直線状に配列される状態でもって、複数列に配置されている。図示のものは、全部で３０６個のＬＥＤ２が３列に所定間隔でもって配置されている。実施例で示す直管形ＬＥＤ灯２０は、従来使用されている直管形蛍光灯と代替使用が可能となるようにするために、従来使用されている直管形蛍光灯と同じく、長さＬが略１２００ｍｍである。なお、この長さに対応する長さのＬＥＤ基板３を１枚の基板で形成することは、コスト的にもアップするため、実施例では３枚の単位基板Ａ、Ｂ、Ｃが直列接続されてＬＥＤ基板３を構成している。このため、単位基板Ａ、Ｂ、Ｃにはそれぞれ１列３４個のＬＥＤ２が３列に所定間隔でもって配置された状態であり、単位基板Ａ、Ｂ、Ｃの各列のＬＥＤ２は、電気的に直列接続されて、全体として３０６個のＬＥＤ２が３列構成である。
【００３５】
図１１に示す管体４は、ＬＥＤ２の発光の有効透過のために、図１５に示すように、略ＬＥＤ基板３に対応する位置ＰＬから上方領域４Ｕを不透明とし、略ＬＥＤ基板３に対応する位置ＰＬから下方領域４Ｄが、透明または半透明（着色または乳白色を含む）になった透光性をなすように、合成樹脂材の押し出し成形または引き抜き成形で形成された円筒状またはそれに近い筒状である。平坦な照明側面３Ｐに取り付けたＬＥＤ２の発光による照射角度は、略１２０度であるため、平坦な照明側面３Ｐに取り付けた３列の両端の各列のＬＥＤ２の光の照射角度、及び管体４での反射光を考慮すれば、管体４は、略ＬＥＤ基板３に対応する位置の下方領域４Ｄが透光性をなす構成とすればよい。なお、上方領域４Ｕを不透明とすれば、ＬＥＤ基板３よりも上方にあるＬＥＤ駆動用回路基板８、及びそれに取り付けられた電気回路素子が外部から見えない状態となり、外観上好ましい形態となる。
【００３６】
管体４の両端部に取り付けた端部キャップ６の端子部５は、それぞれ２本のピンを備えたものであるが、これは従来使用されている直管形蛍光灯の照明く具のソケット部（図示せず）に嵌合装着されるための構成となっているためである。
【００３７】
図１４に示すように、端部キャップ６は、円筒状の管体４に合わせるために、電気絶縁材である合成樹脂材でもって円筒状に形成されている。端子部５は、電気絶縁材の端子支持部材１４に取り付けられた状態で、端子側プラグ１１Ｂを備えたリード線７の一端と半田付けにて接続される。図１４に示すように、端部キャップ６への端子支持部材１４の取り付けは、端子支持部材１４の延長部が端部キャップ６の外側端の環状取り付け部６Ａに当接する状態で、端子支持部材１４と一体に組み合わせたカップ状の金属製外観部材１４Ａが、環状取り付け部６Ａの外面に接着にて行なわれる。
【００３８】
直管形ＬＥＤ灯２０の両端の端子部５へ供給される商用交流電力ＡＣによって、ＬＥＤ２が発光するようにするために、ＬＥＤ２へ電力供給する電気回路素子を取り付けたＬＥＤ駆動用回路基板８が設けられている。ＬＥＤ基板３及びＬＥＤ駆動用回路基板８には、左右の端子部５に接続されたリード線７側の端子側プラグ１１Ｂと接続される基板側プラグ１１Ａが取り付けられている。これらの基板側プラグ１１Ａと端子側プラグ１１Ｂが接続された状態で、左右の端子部５からリード線７を介して商用交流電力ＡＣが、ＬＥＤ駆動用回路基板８の電気回路素子に供給される配線となっている。この電気回路素子として、ＬＥＤ駆動用回路基板８には、この左右の端子部５からリード線７を介して供給される商用交流電力ＡＣを整流して所定の直流ＤＣとするための整流回路を含むＡＣ／ＤＣ変換回路部９と、ＡＣ／ＤＣ変換回路部９から供給される直流ＤＣを所定電圧としてＬＥＤ２に供給する電圧制御部１０を備えている。
【００３９】
図１３〜図１５に示すように、ＬＥＤ基板３を円筒状の管体４内に支持するために、円筒状の管体４の内面対向位置には、管体４の長さ方向（管４の軸方向）へ延びた相対向する一対の支持溝４Ａが、管体４の形成と同時に形成されている。一対の支持溝４Ａは、それぞれ管体４の長さ方向（管４の軸方向）へ延びた対向する一対のリブ４Ｂ、４Ｂ間に形成されており、一対のリブ４Ｂ、４Ｂの間隔は、ＬＥＤ基板３の厚さよりも若干大きい寸法の間隔を存して、管体４の成形と同時に、管体４の全長に亘って形成されている。ＬＥＤ基板３は、管体４の開口端から一対の支持溝４Ａに挿入され支持される。
【００４０】
ＬＥＤ駆動用回路基板８を裏側に取り付けたＬＥＤ基板３は、図１５に示すように、管体４の一端開口からＬＥＤ基板３の長手方向に沿った両端部３Ａを管体４内の一対の支持溝４Ａにスライドにて挿入し、ＬＥＤ基板３を管体４内に収納する。この収納状態において、端部キャップ６の環状取り付け部６Ｂを管体４の左右の開口端部に挿入し、管体４の左右の開口端部が端部キャップ６の環状フランジ６Ｃに当接した位置に端部キャップ６が取り付けられる。この取り付けを達成するために、端部キャップ６の環状取り付け部６Ｂには、一対のリブ４Ｂ、４Ｂが挿入される切り欠き６Ｄが形成されている。図１４に示すように、管体４の直径よりも環状フランジ６Ｃの直径が若干大である。これは後述のように、直管形ＬＥＤ灯２０を梱包装置１内に収納した状態で、梱包装置１の内面に接触する度合いが、環状フランジ６Ｃよりも管体４の方が小さくなるようにして、管体４への外力を少なくするようにしている。
【００４１】
管体４の左右の開口端部への端部キャップ６の取り付けにおいて、管体４内の一対の支持溝４Ａに挿入支持されたＬＥＤ基板３が、管体４内の所定位置に収まり位置決めされるようにするために、切り欠き６Ｄの中央部には、基板ストッパ部６Ｅが端部キャップ６に形成されている。これによって、管体４の左右の開口端部への端部キャップ６の取り付けによって、ＬＥＤ基板３が管体４の左右のいずれかの方向へずれておれば、図１４に示すように、ＬＥＤ基板３の長尺方向の端部３Ｂが基板ストッパ部６Ｅに当接して、ＬＥＤ基板３が管体４の左右の中央位置へ位置決めされる状態となる。この位置決めは、ＬＥＤ２の発光が、管体４の全長から均一に得られるようにするために有効である。
【００４２】
図１３及び図１４に示すように、端部キャップ６の内側には、環状取り付け部６Ｂで囲まれた内方領域には、環状取り付け部６Ｂから突出しない範囲で、リード線７の途中を屈曲係止する係止部１５を備え、この屈曲係止によってリード線７と端子部５との半田付け箇所へ掛かるリード線７の引っ張りや撓み等の作用力を吸収するようにしている。
【００４３】
係止部１５は、向かい合った一対の第１係止部１５Ａ、１５Ａと、第２係止部１５Ｂ、１５Ｂによって構成している。第１係止部１５Ａ、１５Ａは、端部キャップ６内の内外隔壁１６に形成した孔１６Ａの端部で形成され、この孔１６Ａに臨むように第２係止部１５Ｂ、１５Ｂが形成されている。このため、端子部５から延びた２本のリード線７は、それぞれ孔１６Ａの近傍で内外隔壁１６を貫通して第２係止部１５Ｂ、１５Ｂに係止するように屈曲した後、端子側プラグ１１Ｂへ延びる。この状態で、２本のリード線７はそれぞれ第１係止部１５Ａ、１５Ａに係止すると共に孔１６Ａに一部が侵入する状態で、第２係止部１５Ｂ、１５Ｂに係止した状態となる。第１係止部１５Ａ、１５Ａと、第２係止部１５Ｂ、１５Ｂへのリード線７の係止は、第２係止部１５Ｂ、１５Ｂ間からリード線７を屈曲させつつ挿入係止することによって達成できる。
【００４４】
リード線７は、第２係止部１５Ｂ、１５Ｂ間からリード線７を図１４のように屈曲させつつ、第１係止部１５Ａ、１５Ａと、第２係止部１５Ｂ、１５Ｂへ挿入係止することによって、リード線７の係止が達成できる。
【００４５】
上記のように構成される長尺のＬＥＤ基板３は、長尺の管体４内の一対の支持溝４Ａに支持されるが、管体４が長くなればなるほど、長尺のＬＥＤ基板３が必要となり、このような長尺のＬＥＤ基板３を作製することはコストアップに繋がり、好ましくない。これを解決するために、本発明は、複数の単位基板の接合によって長尺帯板状のＬＥＤ基板３を構成する。
【００４６】
次に、本発明に係る梱包装置１について説明する。本発明に係る梱包装置１は、一枚の長方形状の段ボールなどの包装部材３０を用い、この包装部材３０の折り曲げ及び切り込みによって、２本の直管形照明灯２０（図示のものは直管形ＬＥＤ灯２０）を収納支持した状態の梱包である。この具体的構成について、図に基づき以下に説明する。
【００４７】
梱包装置１に使用される一枚の包装部材３０は、図３に一部拡大で示すように、包装部材３０を形成する段ボールは、表層を形成する表層紙３０Ａと、裏層を形成する裏層紙３０Ｂと、波板状の中間層３０Ｃを備え、表層紙３０Ａと裏層紙３０Ｂとの間に中間層３０Ｃが接着された構成である。中間層３０Ｃの波板状の山または谷の方向は後述の管軸方向に略直角に交差する方向である。包装部材３０は、図１及び図２に示すように、長方形状の段ボールで形成された平板状包装部材であり、図１に示すように、端子部５を含む直管形ＬＥＤ灯２０の全長を覆うように、長方形状の包装部材３０の長辺となる全長ＬＸが、端子部５を含む直管形ＬＥＤ灯２０の全長ＬＹよりも若干長い寸法によって構成されている。そして、包装部材３０は、全長ＬＸの範囲内において、２本の直管形ＬＥＤ灯２０が並列配置された状態で、直管形ＬＥＤ灯２０の管体４部分を覆う本体保護部３１と、管体４部分の両端部に取り付けた端部キャップ６から突出した端子部５を保護する端子保護部３２を備える。
【００４８】
本体保護部３１は、直管形ＬＥＤ灯２０の管軸（長さ方向軸）が並行状態となるように、２本の直管形ＬＥＤ灯２０が並列配置される管軸方向に長い矩形形状の平板状の基部３１Ａと、この基部３１Ａの一方の長辺に連続して一方の直管形ＬＥＤ灯２０を包むように屈曲形成された第１物品包囲部に相当する第１管体包囲部３１Ｂと、基部３１Ａの他方の長辺に連続して他方の直管形ＬＥＤ灯２０を包むように屈曲形成された第２物品包囲部に相当する第２管体包囲部３１Ｃとが一体形成され、更に、第１管体包囲部３１Ｂ及び第２管体包囲部３１Ｃの管軸方向の両端部には、端子保護部３２が第１管体包囲部３１Ｂ及び第２管体包囲部３１Ｃと共に一体形成されている。
【００４９】
端子保護部３２の具体的構成は、基部３１Ａの管軸方向の両端部から若干内側で端子部５に対応する位置に、切り起こしにて形成した略直角の立ち上がり辺３２Ａと、この立ち上がり辺３２Ａの両端部から外方向に略直角に屈曲形成した補強辺３２Ｂを備え、立ち上がり辺３２Ａには、２本の直管形ＬＥＤ灯２０のそれぞれの端子部５が挿入される上下方向に長い端子部挿入孔３２Ｃが形成されている。また、第１管体包囲部３１Ｂの先端フラップ部３１Ｂ１及び第２管体包囲部３１Ｃの先端フラップ部３１Ｃ１は、後述のように、重ね合わさるように２本の直管形ＬＥＤ灯２０相互間に挿入され、この状態を保持した梱包となる。
【００５０】
図１には、本発明に係る梱包装置１の好ましい形態及びその組み立て順序を示している。長方形状の段ボールで形成された平板状包装部材３０が準備される。平板状包装部材３０は、図１（イ）及び図２に示すように、２本の直管形ＬＥＤ灯２０が並列配置される幅Ｌ１を有する平面積の管軸方向に長い形状の平板状の基部３１Ａが中央部に位置している。そして、基部３１Ａの両側の長辺の一方の長辺（Ｓ１に相当）に連続して、一方の直管形ＬＥＤ灯２０を包む第１管体包囲部３１Ｂを形成するために、包装部材３０の裏層紙３０Ｂには、等間隔Ｗ１を存して罫線とも称する折れ線Ｓ１、Ｓ２、Ｓ３が形成され、また、これと同様に、基部３１Ａの両側の長辺の他方の長辺（Ｓ１１に相当）に連続して、他方の直管形ＬＥＤ灯２０を包む第２管体包囲部３１Ｃを形成するために、包装部材３０の裏層紙３０Ｂには、等間隔Ｗを存して罫線とも称する折れ線Ｓ１１、Ｓ１２、Ｓ１３が形成されている。また、基部３１Ａの管軸方向の両端部には、収納される２本の直管形ＬＥＤ灯２０の端子部５に対応した位置に、図２に実線で示すように、略直角に立ち上がり可能な立ち上がり辺３２Ａの部分が、切り込み３４によって形成されている。
【００５１】
立ち上がり辺３２Ａの部分には、打ち抜きまたは切り込みによって、係止スリット３２Ｄと、２個の端子部挿入孔３２Ｃが形成され、２個の端子部挿入孔３２Ｃの外側には、補強辺３２Ｂを形成するために折れ線Ｓ４、Ｓ５が形成されている。図示の端子部挿入孔３２Ｃは、立ち上がり辺３２Ａに一辺を残した長孔状切り込み３５（図２に実線３５で示す）の形成によって、端子部挿入孔３２Ｃの一辺に繋がったフラップ３２Ｅが存在している。
【００５２】
第１管体包囲部３１Ｂの先端フラップ部３１Ｂ１及び第２管体包囲部３１Ｃの先端フラップ部３１Ｃ１は、それぞれ管軸方向の両端部に係止スリット３１Ｂ１１及び３１Ｃ１１が、打ち抜き形成されている。第１管体包囲部３１Ｂと第２管体包囲部３１Ｃが、所定の梱包状態を維持するための係止部３３が、立ち上がり辺３２Ａと、先端フラップ部３１Ｂ１及び３１Ｃ１とが、相互に係止し合う関係によって構成されている。
【００５３】
基部３１Ａの両側の対称位置となる第１管体包囲部３１Ｂ及び第２管体包囲部３１Ｃの対向位置には、指掛け用切り欠き３６が形成されている。この指掛け用切り欠き３６は、折れ線Ｓ２、Ｓ３及び折れ線Ｓ１２、Ｓ１３に直径部が接した円弧状、楕円弧状等の弧状であり、図示のものは円弧状に形成されている。
【００５４】
図２、図１６、図１７、図１８、図１９等に示すように、折れ線Ｓ３及び折れ線Ｓ１３の線上には、それぞれ所定の間隔を存して切り欠き４４と切り起し４５が交互に形成されている。この場合、折れ線Ｓ３の線上の切り欠き４４に対して折れ線Ｓ１３の線上の切り起し４５が対応し、折れ線Ｓ３の線上の切り起し４５に対して折れ線Ｓ１３の線上の切り欠き４４が対応する位置関係の配置である。このため、後述のように、第１管体包囲部３１Ｂ及び第２管体包囲部３１Ｃによって、それぞれ２本の直管形ＬＥＤ灯２０が梱包されるため、折れ線Ｓ３の線上の切り欠き４４に対して折れ線Ｓ１３の線上の切り起し４５が嵌り合う関係となり、折れ線Ｓ１３の線上の切り欠き４４に対して折れ線Ｓ３の線上の切り起し４５が嵌り合う関係となる。
【００５５】
上記のように、包装部材３０を形成する段ボールは、表層紙３０Ａと裏層紙３０Ｂとの間に中間層３０Ｃが接着された構成であり、切り欠き４４は、折れ線Ｓ３及び折れ線Ｓ１３の線上において、表層紙３０Ａ、中間層３０Ｃ及び裏層紙３０Ｂを貫通し、略矩形状の細長いスリット状に形成されている。また、切り起し４５は、折れ線Ｓ３及び折れ線Ｓ１３の線上において、表層紙３０Ａ、中間層３０Ｃ及び裏層紙３０Ｂを貫通する切込み４５Ａによって、低い平坦な台形状の切り起し形状に形成されている。
【００５６】
一つの実施例として、図１６に示すように、切り欠き４４と切り起し４５は、それぞれ長さＬＡ、ＬＣで以って折れ線Ｓ３及び折れ線Ｓ１３の線上に交互に間隔Ｐ１を存して形成されている。そして、切り欠き４４は、長さＬＡ及び幅ＬＢで以ってそれぞれ折れ線Ｓ３及び折れ線Ｓ１３の線上に形成され、それぞれ折れ線Ｓ３及び折れ線Ｓ１３から先端フラップ部３１Ｂ１及び３１Ｃ１側に偏った位置を保つように、折れ線Ｓ３及び折れ線Ｓ１３にて二分される位置に形成されている。図において、切り欠き幅ＬＢ＝ＬＢ１＋ＬＢ２であり、ＬＢ１＞ＬＢ２において、折れ線Ｓ３に対して、幅ＬＢ１の部分が先端フラップ部３１Ｂ１側に形成され、幅ＬＢ２の部分が先端フラップ部３１Ｂ１の反対側に形成される。また折れ線Ｓ１３に対して、幅ＬＢ１の部分が先端フラップ部３１Ｃ１側に形成され、幅ＬＢ２の部分が先端フラップ部３１Ｃ１の反対側に形成される。また、切り起し４５は、それぞれ折れ線Ｓ３及び折れ線Ｓ１３から先端フラップ部３１Ｂ１及び３１Ｃ１に向けて突出長さＬＤで突出するように、切り込み４５Ａによって台形状をなす。
【００５７】
この構成において、一つの実施形態として、包装部材３０を形成する段ボールの厚さｔが３ｍｍである場合、ＬＡ、ＬＣ及びＰ１をそれぞれ４０ｍｍとし、ＬＢ＝４ｍｍ、ＬＤ＝２ｍｍとし、ＬＢ１＝３ｍｍ、ＬＢ２＝１ｍｍとすることによって、折れ線Ｓ３及び折れ線Ｓ１３の線上で折り曲げ易くなる。
【００５８】
そして、折れ線Ｓ３及び折れ線Ｓ１３の線上で略直角に折り曲げた状態で、図１８に示すように、先端フラップ部３１Ｂ１の切り欠き４４部分において、先端フラップ部３１Ｃ１の切り起し４５が、段ボールの厚さｔ＝３ｍｍのうちのＬＬ＝２ｍｍ部分で以って折れ線Ｓ３上で先端フラップ部３１Ｂ１に載った状態で嵌り合う。同様に、先端フラップ部３１Ｃ１の切り欠き４４部分において、先端フラップ部３１Ｂ１の切り起し４５が、段ボールの厚さ３ｍｍのうちのＬＬ＝２ｍｍ部分で以って、折れ線Ｓ１３上で先端フラップ部３１Ｃ１に載った状態で嵌り合う。なお、切り欠き４４の長さＬＡ及び幅ＬＢ、切り起し４５の長さＬＣ及び突出長さＬＤ、更に間隔Ｐ１は、段ボールの厚さｔに応じて、適宜の寸法にすればよい。
【００５９】
また、折れ線Ｓ１、Ｓ２及び折れ線Ｓ１１、Ｓ１２の線上で折り曲げ易くするために、図２、図１６に示すように、折れ線Ｓ１、Ｓ２及び折れ線Ｓ１１、Ｓ１２の線上には、それぞれ所定の間隔Ｐ２を存して切り込み４６が形成されている。上記のように、包装部材３０を形成する段ボールは、表層を形成する表層紙３０Ａと、裏層を形成する裏層紙３０Ｂと、波板状の中間層３０Ｃを備え、表層紙３０Ａと裏層紙３０Ｂとの間に中間層３０Ｃが接着された構成であり、切り込み４６は、裏層紙３０Ｂと中間層３０Ｃとに切り込まれるが、表層紙３０Ａには切り込まれない状態に形成され、このため、切り込み４６は、半切りと称される。この半切りによって、表層紙３０Ａには切り込み４６が現れない状態となる。
【００６０】
一つの実施形態として、包装部材３０を形成する段ボールの厚さｔが３ｍｍである場合、折れ線Ｓ１、Ｓ２及び折れ線Ｓ１１、Ｓ１２の線上での切り込み４６の長さＬＥ＝４０ｍｍ、及び間隔Ｐ２＝４０ｍｍとしている。これの変更例として、ＬＥ＝３０ｍｍ、及び間隔Ｐ２＝４０ｍｍとすることでもよい。これによって、折れ線Ｓ１、Ｓ２及び折れ線Ｓ１１、Ｓ１２の線上で折り曲げ易くなる。
【００６１】
上記のように、手作業によって包装部材３０を折れ線Ｓ１、Ｓ２及び折れ線Ｓ１１、Ｓ１２に沿って折り曲げる際には、きれいな折り曲げを達成するために、その作業手を包装部材３０の表層紙３０Ａ上を折れ線Ｓ１、Ｓ２及び折れ線Ｓ１１、Ｓ１２方向に往復移動させるが、表層紙３０Ａには切り込み４６が現れないため、この作業手が切り込み４６に引っ掛かることがなく、その作業手に切り傷を負うこともなく、安全且つ速やかな折り曲げ作業を行なえるものとなる。なお、切り込み４６の長さＬＥ及び間隔Ｐ２は、段ボールの厚さｔに応じて、適宜の寸法にすればよい。
【００６２】
上記のような、折れ線Ｓ１、Ｓ２、Ｓ３及び折れ線Ｓ１１、Ｓ１２、Ｓ１３、更に、切り欠き４４、切り起し４５、切り込み４６は、それぞれトムソン型に備えた折れ線刃（罫線刃とも称する）、切り欠き用刃、切り込み用刃によって、トムソン加工されるものである。
【００６３】
梱包装置１の強度アップを図るための包装部材３０の他の実施形態を図２０に示している。図２に示す形態では、端子保護部３２に対応する部分に切り欠き４４及び切り起し４５を形成しているが、段ボールの厚さや構成によっては、端子保護部３２に対応する部分の強度が低下する場合がある。このような強度低下が懸念される場合は、図２０に示すように、端子保護部３２に対応する部分には切り欠き４４及び切り起し４５を形成しない構成とする。
【００６４】
この場合、端子保護部３２に対応する部分の折れ線Ｓ３及びＳ１３部分における折り曲げをし難い場合は、図２０に示すように、端子保護部３２に対応する部分の折れ線Ｓ３及びＳ１３部分の線上に、切り込み４６と同様の半切りの切り込み４６Ａを形成することによって、この部分での折れ線Ｓ３及びＳ１３に沿った折り曲げがし易くなる。
【００６５】
上記のような構成の図１（イ）に示す平板状包装部材３０によって、２本の直管形ＬＥＤ灯２０を梱包する順序を図１に基づき説明する。
【００６６】
このような構成の図１（イ）に示す平板状包装部材３０は、図１（ロ）に示すように、切り込み３４から立ち上がり辺３２Ａを略直角に立ち上げると共に、この立ち上がり辺３２Ａの両端部を折れ線Ｓ４、Ｓ５によって外方向に略直角に屈曲して、補強辺３２Ｂを形成する。この結果、補強辺３２Ｂは基部３１Ａの延長線上に位置する状態となる。また、次の作業のために、第１管体包囲部３１Ｂに対応して、折れ線Ｓ１、Ｓ２、Ｓ３の部分で若干内側に向けて折り曲げ、同様に、第２管体包囲部３１Ｃに対応して、折れ線Ｓ１１、Ｓ１２、Ｓ１３の部分で若干内側に向けて折り曲げておく。
【００６７】
次に図１（ハ）に示すように、２本の直管形ＬＥＤ灯２０を準備し、図１（ニ）に示すように、一方の直管形ＬＥＤ灯２０の両端部の２本の端子部５を、立ち上がり辺３２Ａに形成したそれぞれの端子部挿入孔３２Ｃへ挿入する関係で、一方の直管形ＬＥＤ灯２０を基部３１Ａの一方の長辺（Ｓ１に相当）に沿って、基部３１Ａ上に配置する。この状態で、この一方の直管形ＬＥＤ灯２０の両端部の端部キャップ６の外面が、立ち上がり辺３２Ａの内側面に当接または近接する状態である。同様にして、他方の直管形ＬＥＤ灯２０の両端部の２本の端子部５を、立ち上がり辺３２Ａに形成したそれぞれの端子部挿入孔３２Ｃへ挿入する関係で、他方の直管形ＬＥＤ灯２０を基部３１Ａの他方の長辺（Ｓ１１に相当）に沿って、基部３１Ａ上に配置する。この状態で、この他方の直管形ＬＥＤ灯２０の両端部の端部キャップ６の外面が、立ち上がり辺３２Ａの内側面に当接または近接する状態である。
【００６８】
そして、次に図１（ホ）に示すように、第１管体包囲部３１Ｂは、折れ線Ｓ１、Ｓ２、Ｓ３の部分で内側に向けて直角状に折り曲げ、先端フラップ部３１Ｂ１を２本の直管形ＬＥＤ灯２０相互間に挿入することにより形成される。このとき、係止スリット３２Ｄに対して係止スリット３１Ｂ１１が噛み合う状態の嵌合となり、図７に示すように、係止スリット３１Ｂ１１が係止スリット３２Ｄの基部に相当する立ち上がり辺３２Ａの部分３２ＡＡに嵌合し、これと同時に、係止スリット３２Ｄが係止スリット３１Ｂ１１の基部に相当する先端フラップ部３１Ｂ１の部分３１ＢＢに嵌合する。これによって、立ち上がり辺３２Ａと、先端フラップ部３１Ｂ１との噛み合いが維持される。このような折り曲げによって、図７に示すように、第１管体包囲部３１Ｂの内側面に一方の補強辺３２Ｂが面接触状態となり、補強辺３２Ｂの安定保持状態となる。
【００６９】
このような折れ線Ｓ３に沿った第１管体包囲部３１Ｂの屈曲によって、図１７（イ）に示すように、第１管体包囲部３１Ｂ側の切り欠き４４に第１管体包囲部３１Ｂの先端フラップ部３１Ｂ１の基部３１Ｂ１０が露出状態に臨む。同様に、第２管体包囲部３１Ｃ側の切り欠き４４に第２管体包囲部３１Ｃの先端フラップ部３１Ｃ１の基部３１Ｃ１０が露出状態に臨む。同様に、図１７（ロ）に示すように、第２管体包囲部３１Ｃ側の切り欠き４４に第２管体包囲部３１Ｃの先端フラップ部３１Ｃ１の基部３１Ｃ１０が露出状態に臨む。
【００７０】
この状態で、後述のように、第１管体包囲部３１Ｂ及び第２管体包囲部３１Ｃにそれぞれ形成された先端フラップ部３１Ｂ１、３１Ｃ１が重ね合わせ状態にて組み合わされた状態で、第１管体包囲部３１Ｂの切り欠き４４に第２管体包囲部３１Ｃの切り起し４５が嵌り合い、第２体包囲部３１Ｃの切り欠き４４に第１管体包囲部３１Ｂの切り起し４５が嵌り合う関係となる。具体的には、折れ線Ｓ３に対して、切り欠き４４の幅ＬＢ１の部分で先端フラップ部３１Ｂ１の基部３１Ｂ１０に載る状態に形成され、且つ幅ＬＢ２の部分が切り欠き４４から露出する状態となるように形成される。また、切り起し４５は、折れ線Ｓ３から先端フラップ部３１Ｂ１に略直角に交差する方向へ突出長さＬＤで突出する。
【００７１】
また、これと同様に、第２管体包囲部３１Ｃは、折れ線Ｓ１１、Ｓ１２、Ｓ１３の部分で内側に向けて直角状に折り曲げ、この第２管体包囲部３１Ｃの折り曲げによって、折れ線Ｓ１３に対して、切り欠き４４の幅ＬＢ１の部分が先端フラップ部３１Ｃ１の基部３１Ｃ１０に載る状態に形成され、且つ幅ＬＢ２の部分が切り欠き４４から露出する状態に形成される。また、切り起し４５は、折れ線Ｓ１３から先端フラップ部３１Ｃ１に略直角に交差する方向へ突出長さＬＤで突出する。
【００７２】
このような折り曲げに伴って、先端フラップ部３１Ｃ１を先端フラップ部３１Ｂ１に当接する状態で、２本の直管形ＬＥＤ灯２０相互間に先端フラップ部３１Ｃ１、３１Ｂ１を押し圧状態で挿入することにより、図７及び図１８に示すように、第２管体包囲部３１Ｃ側の切り欠き４４において、その幅ＬＢのＬＢ１＝３ｍｍのうちのＬＬ＝２ｍｍ部分で、第１管体包囲部３１Ｂ側の切り起し４５が、先端フラップ部３１Ｃ１の基部３１Ｃ１０に載った状態で嵌り合い、且つ第１管体包囲部３１Ｂ側の切り欠き４４において、その幅ＬＢのＬＢ１＝３ｍｍのうちのＬＬ＝２ｍｍ部分で、第２管体包囲部３１Ｃ側の切り起し４５が、先端フラップ部３１Ｂ１の基部３１Ｂ１０に載った状態で嵌り合う。更に係止スリット３２Ｄに対して係止スリット３１Ｃ１１が噛み合う状態の嵌合となり、図７に示すように、係止スリット３１Ｃ１１が係止スリット３２Ｄの基部に相当する立ち上がり辺３２Ａの部分３２ＡＡに嵌合し、これと同時に、係止スリット３２Ｄが係止スリット３１Ｃ１１の基部に相当する先端フラップ部３１Ｃ１の部分３１ＣＣに嵌合する。これによって、立ち上がり辺３２Ａと、先端フラップ部３１Ｃ１との噛み合いが維持され、先端フラップ部３１Ｃ１が先端フラップ部３１Ｂ１に重なり合った状態を維持することができる。
【００７３】
このように、第１管体包囲部３１Ｂ及び第２管体包囲部３１Ｃの折り曲げにより、先端フラップ部３１Ｃ１が先端フラップ部３１Ｂ１に重なり合った状態において、第２管体包囲部３１Ｃ側の切り欠き４４において、第１管体包囲部３１Ｂ側の切り起し４５が、先端フラップ部３１Ｃ１に載った状態で嵌り合い、また、第１管体包囲部３１Ｂ側の切り欠き４４において、第２管体包囲部３１Ｃ側の切り起し４５が、先端フラップ部３１Ｂ１に載った状態で嵌り合う状態となるため、折れ線Ｓ３及びＳ１３の部分の強度維持が達成でき、且つ、折れ線Ｓ３及びＳ１３の部分での外観上の隙間を小さくできるため、この部分での見栄えも向上する。また、図７に示すように、第１管体包囲部３１Ｂの内側面に他方の補強辺３２Ｂが面接触状態となり、補強辺３２Ｂの安定保持状態となる。これによって図１（ヘ）に示すように、この状態を保持した梱包装置１の梱包が完成する。
【００７４】
この場合、幅Ｌ１をＷ１の２倍に設定している。このため、折れ線Ｓ１、Ｓ２、Ｓ３の部分で内側に向けて直角状に折り曲げて形成された第１管体包囲部３１Ｂは、管軸方向の左右側面形状が正方形状をなす筒状となる。同様に、折れ線Ｓ１１、Ｓ１２、Ｓ１３の部分で内側に向けて直角状に折り曲げて形成された第２管体包囲部３１Ｃは、管軸方向の左右側面形状が正方形状をなす筒状となる。このため、梱包装置１は、図７に示すように、その管軸方向の左右側面形状は、高さがＷ１に包装部材３０の板厚を加えた値Ｗであり、幅がＷの２倍である長方形状をなす筒状体となる。
【００７５】
この梱包の結果、梱包された２本の直管形ＬＥＤ灯２０は、図７に示すように、先端フラップ部３１Ｂ１及び３１Ｃ１によって、相互に間隔を保った収納状態となり、運搬途上などにおいて、２本の直管形ＬＥＤ灯２０が衝突する虞がない状態である。
【００７６】
上記のように、先端フラップ部３１Ｂ１及び３１Ｃ１の重ね合わせ状態を保持して、先端フラップ部３１Ｂ１及び３１Ｃ１が開かない状態を維持するための係止部３３の一つの形態として、図１〜図７に示すように、二つの端子部挿入孔３２Ｃの中間部に係止スリット３２Ｄが形成され、また先端フラップ部３１Ｂ１及び３１Ｃ１の管軸方向の両端部にも係止スリット３１Ｂ１１及び３１Ｃ１１が形成されている。立ち上がり辺３２Ａと、先端フラップ部３１Ｂ１及び３１Ｃ１とが、相互に係止し合う構成である。
【００７７】
なお、先端フラップ部３１Ｂ１及び３１Ｃ１を同時に、またはいずれか一方から順に、２本の直管形ＬＥＤ灯２０相互間に挿入するとき、上記の嵌合状態へ向かう際に、先端フラップ部３１Ｂ１及び３１Ｃ１が相互に押し圧状態で挿入される関係の構成によって、先端フラップ部３１Ｂ１及び３１Ｃ１が重なり合って開かない状態維持が、より一層、効果的となる。
【００７８】
上記のように、一枚の包装部材は、長方形状の平板包装部材３０で構成され、立ち上がり辺３２Ａの外側には、基部３１Ａの管軸方向の延長線上に、補強辺３２Ｂが当接する端部補強部３１Ａ１が存在する。この端部補強部３１Ａ１の存在によって、補強辺３２Ｂによる立ち上がり辺３２Ａの安定保持ができることとなり、直管形照明灯の左右端部の端子部が立ち上がり辺に挿入された状態を安定維持できると共に、梱包装置１の左右端部へ加わる衝撃に対して、この端部補強部３１Ａ１と補強辺３２Ｂとによって、梱包装置１の左右端部の強度が得られ、直管形照明灯２０の端子部５の保護に適した梱包装置１となる。
【００７９】
係止部３３の他の形態として、係止スリット３２Ｄを設けずに、係止スリット３１Ｂ１１及び３１Ｃ１１のみとし、先端フラップ部３１Ｂ１及び３１Ｃ１を同時に、またはいずれか一方から順に、２本の直管形ＬＥＤ灯２０相互間に挿入するとき、立ち上がり辺３２Ａの中央部が係止スリット３１Ｂ１１及び３１Ｃ１１に嵌合する構成とすることもできる。
【００８０】
好ましい形態として、上記のように、第１管体包囲部３１Ｂ及び第２管体包囲部３１Ｃは、それぞれ略直角に屈曲形成された正方形状筒をなしており、梱包装置１全体の形状は、直管形ＬＥＤ灯２０の管軸方向の左右両端部形状が長方形状をなし、直管形ＬＥＤ灯２０の管軸方向に長い長方形状筒（直方形状）となる。このため、直管形照明灯の２本を１ユニット（一つの単位）として取り扱う場合の取り扱いがし易く、床などに置いたときの安定化が得られる。
【００８１】
図１（ヘ）に示す梱包装置１の梱包完成状態において、第１管体包囲部３１Ｂ及び第２管体包囲部３１Ｃの対向位置に形成した指掛け用切り欠き３６は、その一つの形態は、図１（ヘ）のＹ部のように、二つの指掛け用切り欠き３６が組み合わさって、一つの円状の切り欠き孔となる。この円状の切り欠き孔は、収納した２本の直管形ＬＥＤ灯２０の管体４部分が目視できる確認孔として機能する。また、この切り欠き孔Ｙは、この二つの指掛け用切り欠き３６に指を掛けて、重なり合った先端フラップ部３１Ｂ１及び３１Ｃ１を引き出すことにより、梱包を開く場合に効果的である。一方、Ｍ部及びＮ部に示すそれぞれ対向した二つの指掛け用切り欠き３６は、片方の手の指をＭ、Ｍに引っ掛け、他方の手の指をＮ、Ｎに引っ掛けることにより、梱包装置１全体を安定に持ち運ぶ取っ手部となる。このため、Ｍ部及びＮ部の対向した二つの指掛け用切り欠き３６は、後述のように、梱包装置１を外装箱４０に詰めた場合の取り出し及び外装箱４０への詰めこみに便利である。
【００８２】
また、図１（ヘ）に示す梱包装置１の梱包完成状態において、立ち上がり辺３２Ａの切り起こしによって生じた切り欠き孔３７が、梱包装置１の管軸方向の両端部付近に存在し、直管形ＬＥＤ灯２０の端部キャップ６に対応する位置に形成された状態であるため、切り欠き孔３７から、包装した直管形照明灯２０の端部キャップ６部分を目視確認でき、包装した直管形照明灯２０の確認及びその種類の目視などに便利である。また、この切り欠き孔３７は、梱包装置１の基部３１Ａから、第１管体包囲部３１Ｂの外側壁（折れ線Ｓ１とＳ２の間の壁面）と、第２管体包囲部３１Ｃの外側壁（折れ線Ｓ１１とＳ１２の間の壁面）に亘る長さで形成されることによって、図１（ヘ）の上方から第１管体包囲部３１Ｂと第２管体包囲部３１Ｃを跨ぐように、片方の手の指を切り欠き孔３７の両端部３７Ａに引っ掛けることによって、ここが梱包装置１全体を安定に持ち運ぶ取っ手部となる。このため、Ｍ部及びＮ部の指掛け用切り欠き３６を省略する構成でもよい。
【００８３】
図９及び図１０には、２本の直管形ＬＥＤ灯２０を収納した梱包装置１の複数個が、外装箱４０に収納される構成を示している。上記のように、梱包装置１全体の形状は、直管形ＬＥＤ灯２０の管軸方向の左右両端部形状が、幅がＬ１＋２Ｗで高さがＷの長方形状をなし、直管形ＬＥＤ灯２０の管軸方向に長い長方形状筒（直方形状）をなしている。このような形態の梱包装置１の箱詰めについて説明する。
【００８４】
先ず図９は、２本の直管形ＬＥＤ灯２０を１ユニット（一つの単位）として包装した本発明に係る梱包装置１の１０個を左右側面形状が長方形状の直方形外装箱４０に収納される状態の分解斜視図である。この場合、上段と下段にそれぞれ５個の梱包装置１を立てた状態に配置し、図９の手前側の１個の梱包装置１は、切り欠き孔３７が図９の奥側に向いた状態であり、他の４個の梱包装置１は、切り欠き孔３７が図９の手前側に向いた状態で配置された状態で、外装箱４０に収納される。
【００８５】
図１０は、２本の直管形ＬＥＤ灯２０を１ユニット（一つの単位）として包装した本発明に係る梱包装置１の２０個を左右側面形状が長方形状の直方体状の外装箱４０に収納される状態の分解斜視図である。この場合、上下方向に５段積みの梱包装置１が前後方向に４列配置される状態である。各列の５段積みの状態は、図１０の最上段の梱包装置１は、切り欠き孔３７が図１０の下側に向いた状態であり、その下方の他の４個の梱包装置１は、切り欠き孔３７が図１０の上側に向いた状態で積層された状態であり、このような積層の５列が外装箱４０に収納される。
【００８６】
図９及び図１０に示すように、二つの梱包装置１を組み合わせれば、左右側面形状が正方形状の直方体となるため、これを一組とすれば、外装箱の左右側面形状が正方形状の直方体状の外装箱、または外装箱の左右側面形状が長方形状の直方体状の外装箱に充填された収納状態が得られ、外装箱内での安定した収納状態が得られるものとなり、運搬等の際にも内部の直管形照明灯が破損し難い状態を保つことができるものである。
【００８７】
本発明の梱包装置１は、上記の説明では、２本の直管形照明灯２０を一組として収納する構成について説明したが、２本の直管形照明灯２０に替えて、従来使用されている直管形蛍光灯の２本を一組として、上記同様の構成によって梱包することができる。
【００８８】
上記の説明では、梱包装置１として説明したが、２本の直管形照明灯２０を除いた状態の梱包装置１に使用される一枚の包装部材３０の上記形態そのものを表現する場合は、梱包装置１を包装体１として表現することができる。
【産業上の利用可能性】
【００８９】
本発明に係る梱包装置１または包装体１は、上記実施例に示した図示の形態に限らず、本発明の技術範囲において、種々の構成の梱包装置または包装体を包含するものである。
【符号の説明】
【００９０】
１・・・・・梱包装置または包装体
２・・・・・ＬＥＤ
３・・・・・ＬＥＤ基板
３Ａ・・・・ＬＥＤ基板３の長手方向に沿った両端部
３Ｂ・・・・ＬＥＤ基板３の長手方向端部
３Ｐ・・・・照明側面
４・・・・・管体
４Ａ・・・・溝
４Ｂ・・・・リブ
５・・・・・端子部
６・・・・・端部キャップ
６Ａ・・・・環状取り付け部
６Ｂ・・・・環状取り付け部
６Ｃ・・・・環状フランジ
６Ｄ・・・・切り欠き
６Ｅ・・・・ストッパ部
７・・・・・リード線
８・・・・・ＬＥＤ駆動用回路基板
９・・・・・ＡＣ／ＤＣ変換回路部
１０・・・・電圧制御部
１１Ａ・・・基板側プラグ
１１Ｂ・・・端子側プラグ
１４・・・・端子支持部材
１４Ａ・・・金属製外観部材
１５・・・・係止部
１５Ａ・・・第１係止部
１５Ｂ・・・第２係止部
１６・・・・隔壁
１６Ａ・・・孔
２０・・・・直管形照明灯（直管形蛍光灯、直管形ＬＥＤ灯）
３０・・・・包装部材
３１・・・・本体保護部
３１Ａ・・・基部
３１Ｂ・・・第１管体包囲部
３１Ｂ１・・第１管体包囲部の先端フラップ部
３１Ｂ１１・・・係止スリット
３１Ｃ・・・第２管体包囲部
３１Ｃ１・・第２管体包囲部の先端フラップ部
３１Ｃ１１・・・係止スリット
３２・・・・端子保護部
３２Ａ・・・立ち上がり辺
３２Ｂ・・・補強辺
３２Ｃ・・・端子部挿入孔
３２Ｄ・・・係止スリット
３３・・・・係止部
４４・・・・切り欠き
４５・・・・切り起し
４５Ａ・・・切り込み
４６・・・・切り込み
４６Ａ・・・切り込み
【図１】
0005735864.tif 000002
【図２】
0005735864.tif 000003
【図３】
0005735864.tif 000004
【図４】
0005735864.tif 000005
【図５】
0005735864.tif 000006
【図６】
0005735864.tif 000007
【図７】
0005735864.tif 000008
【図８】
0005735864.tif 000009
【図９】
0005735864.tif 000010
【図１０】
0005735864.tif 000011
【図１１】
0005735864.tif 000012
【図１２】
0005735864.tif 000013
【図１３】
0005735864.tif 000014
【図１４】
0005735864.tif 000015
【図１５】
0005735864.tif 000016
【図１６】
0005735864.tif 000017
【図１７】
0005735864.tif 000018
【図１８】
0005735864.tif 000019
【図１９】
0005735864.tif 000020
【図２０】
0005735864.tif 000021